【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
ａ）（ｉ）殺生物活性モノマーまたは基、
（ｉｉ）ブルーム促進性シリコーンおよび／もしくはフルオロカーボンモノマーまたは基、
（ｉｉｉ）任意で接着促進性モノマーまたは基
から形成されるオリゴマー性またはポリマー性添加剤と、
ｂ）ベースポリマーと
を含む、抗菌性ポリマー組成物。
【請求項２】
非汚損性モノマーをさらに含む、請求項１に記載の抗菌性ポリマー組成物。
【請求項３】
（ａ）前記オリゴマー性またはポリマー性添加剤が、（ｉ）ブルーム促進性シリコーンまたはフルオロカーボン系のアクリレート、メタクリレート、アクリルアミドまたはビニルモノマー、（ｉｉ）殺生物活性アクリレート、メタクリレート、アクリルアミドまたはビニルモノマー、および（ｉｉｉ）任意で接着促進性モノマーまたは基から誘導されるか、または
（ｂ）前記オリゴマー性またはポリマー性添加剤が、（ｉ）活性水素化合物を含有するシリコーンまたはフルオロカーボン系モノマー、（ｉｉ）活性水素を含有する殺生物活性モノマー、（ｉｉｉ）任意で、活性水素を含有する接着促進性モノマーまたは基、および（ｉｖ）ポリイソシアネートから誘導されるか、または
（ｃ）前記オリゴマー性またはポリマー性添加剤が、ランダム、ブロック、グラフト、または分枝状のポリマーまたはコポリマーである、
請求項１または２に記載の抗菌性ポリマー組成物。
【請求項４】
前記殺生物活性モノマーが、１つまたは複数のアルキルもしくはアリール四級化アンモニウム、スルホニウムもしくはホスホニウム基、グアニジン基、ビグアニジン基、またはこれらの任意の組合せを有する、アクリレート、メタクリレート、ノルボルネン、ビニルまたはアリルモノマーのうちの１つまたは複数を含み、好ましくは、前記殺生物活性モノマーが、ポリヘキサメチレンビグアニド、ｐ−クロロフェニルグアニジノエトキシメタクリレート、１，６−ビス（ビグアニジノエタノール）ヘキサンまたはｐ−クロロフェニルグアニジノエタノールを含む、請求項３に記載のポリマー組成物。
【請求項５】
前記シリコーンモノマーが、１つまたは複数のポリシロキサンおよび／もしくはフルオロカーボン基を有する、アクリレート、メタクリレート、ノルボルネン、ビニルまたはアリルモノマーを含む、請求項３に記載のポリマー組成物。
【請求項６】
前記接着促進性モノマーまたは基が、アルキルもしくは他の基で置換されたメタクリレート、アクリレートまたはアクリルアミドモノマーを含み、好ましくは、前記接着促進性モノマーが、メチルメタクリレートを含む、請求項３に記載のポリマー組成物。
【請求項７】
前記ブルーム促進性シリコーンまたはフルオロカーボン系モノマーが、２−メチル−２−プロペン酸３，３，４，４，５，５，６，６，７，７，８，８，８−トリデカフルオロオクチルエステルを含むか、または
前記ブルーム促進性シリコーンまたはフルオロカーボン系モノマーが、３，３，４，４，５，５，６，６，７，７，８，８，８−トリデカフルオロ−１−オクタノールを含む、
請求項３に記載のポリマー組成物。
【請求項８】
前記ベースポリマーが、ナイロン、熱可塑性ポリウレタン、ポリエチレン、ポリエステル、ポリ塩化ビニル、ポリスルホン、ポリシロキサン、ポリプロピレン、ポリカーボネート、ポリエーテルスルホン、ポリエーテルエーテルケトン、ポリラクチド（ＰＬＡ）ポリマー、ポリラクチド−ｃｏ−グリコリド（ＰＬＧ）ポリマー、ポリカプロラクトンポリマー、ポリジオキサノールポリマー、ポリ（１，３−トリメチレンカーボネート）ポリマー、ポリチロシンカーボネートポリマー、ポリアクリレート、ポリメタクリレート、ポリ乳酸、またはポリグリコール酸、およびこれらの組合せを含む、請求項１に記載のポリマー組成物。
【請求項９】
前記ブルーム促進性シリコーンまたはフルオロカーボン系モノマーが、前記添加剤の全モノマー組成物の５ｗｔ％から６０ｗｔ％の量で存在し、
前記殺生物活性モノマーが、前記添加剤の全モノマー組成物の０．５ｗｔ％から５０ｗｔ％の量で存在し、かつ
前記接着促進性モノマーが、前記添加剤の全モノマー組成物の１０ｗｔ％から７０ｗｔ％の量で存在する、
請求項１に記載のポリマー組成物。
【請求項１０】
前記オリゴマー性またはポリマー性添加剤が、全ポリマー組成物の０．１ｗｔ％から２０ｗｔ％の量で存在する、請求項１に記載のポリマー組成物。
【請求項１１】
請求項１〜１０のいずれか一項に記載の殺生物活性ポリマー組成物を含有するかまたはこれを含む物品。
【請求項１２】
請求項３の（ａ）の部分に記載の殺生物活性ポリマー組成物を作製する方法であって、
（ａ）適切なモノマーのフリーラジカル重合を行って前記オリゴマー性またはポリマー性添加剤を形成することと、
（ｂ）前記添加剤を前記ベースポリマーに組み込むことと
を含む、方法、または
請求項３の（ｂ）の部分に記載の殺生物活性ポリマー組成物を作製する方法であって、
（ａ）前記ポリイソシアネートと活性水素モノマーを反応させて前記オリゴマー性またはポリマー性添加剤を形成することと、
（ｂ）前記添加剤を前記ベースポリマーに組み込むことと
を含む、方法。
【請求項１３】
前記ポリマー性またはオリゴマー性添加剤を組み込むことが、前記添加剤を前記ベースポリマーに溶融混合すること、または前記ベースポリマーの合成中に前記添加剤を添加することを含む、請求項１２に記載の方法。
【請求項１４】
前記添加剤およびベースポリマーを一般的な溶媒中に溶解させること、ならびに前記添加剤および前記ベースポリマーを含有する溶媒混合物のキャスティング、凝固またはエレクトロスピニングを行うことを含む、請求項１２に記載の方法。
【請求項１５】
前記ポリマー組成物またはそれから形成される物品をアニールすることをさらに含む、請求項１２に記載の方法。
【請求項１６】
（ｉ）ブルーム促進性シリコーンまたはフルオロカーボン系のアクリレート、メタクリレート、アクリルアミドまたはビニルモノマー、（ｉｉ）殺生物活性アクリレート、メタクリレート、アクリルアミドまたはビニルモノマー、および（ｉｉｉ）任意で接着促進性モノマーまたは基
から誘導されるオリゴマー性またはポリマー性添加剤
を含む、抗菌性添加剤組成物。
【請求項１７】
（ｉ）活性水素基を含有するシリコーンまたはフルオロカーボン系モノマー、（ｉｉ）活性水素基を含有する殺生物活性モノマー、（ｉｉｉ）任意で、活性水素基を含有する接着促進性モノマーまたは基、および（ｉｖ）ポリイソシアネート
から誘導されるオリゴマー性またはポリマー性添加剤
を含む、抗菌性添加剤組成物。
【手続補正２】
【補正対象書類名】明細書
【補正対象項目名】００１７
【補正方法】変更
【補正の内容】
【００１７】
開示される技術は、比較的単純な手段により調製することができ、本明細書に記載の方法により簡単に抗菌性添加剤中に組み込むことができる、抗菌性モノマーをさらに提供する。
本発明の実施形態において、例えば以下の項目が提供される。
（項目１）
ａ）（ｉ）殺生物活性モノマーまたは基、
（ｉｉ）ブルーム促進性シリコーンおよび／もしくはフルオロカーボンモノマーまたは基、
（ｉｉｉ）任意で接着促進性モノマーまたは基
から形成されるオリゴマー性またはポリマー性添加剤と、
ｂ）ベースポリマーと
を含む、抗菌性ポリマー組成物。
（項目２）
非汚損性モノマーをさらに含む、項目１に記載の抗菌性ポリマー組成物。
（項目３）
前記オリゴマー性またはポリマー性添加剤が、（ｉ）ブルーム促進性シリコーンまたはフルオロカーボン系のアクリレート、メタクリレート、アクリルアミドまたはビニルモノマー、（ｉｉ）殺生物活性アクリレート、メタクリレート、アクリルアミドまたはビニルモノマー、および（ｉｉｉ）任意で接着促進性モノマーまたは基から誘導される、項目１または２に記載の抗菌性ポリマー組成物。
（項目４）
前記オリゴマー性またはポリマー性添加剤が、（ｉ）活性水素化合物を含有するシリコーンまたはフルオロカーボン系モノマー、（ｉｉ）活性水素を含有する殺生物活性モノマー、（ｉｉｉ）任意で、活性水素を含有する接着促進性モノマーまたは基、および（ｉｖ）ポリイソシアネートから誘導される、項目１または２に記載の抗菌性ポリマー組成物。
（項目５）
前記オリゴマー性またはポリマー性添加剤が、ランダム、ブロック、グラフト、または分枝状のポリマーまたはコポリマーである、項目１または２に記載のポリマー。
（項目６）
前記オリゴマー性またはポリマー性添加剤が前記ベースポリマーに添加されてポリマーブレンドを形成する、項目１または２に記載のポリマー組成物。
（項目７）
前記殺生物活性モノマーが、１つまたは複数のアルキルもしくはアリール四級化アンモニウム、スルホニウムもしくはホスホニウム基、グアニジン基、ビグアニジン基、またはこれらの任意の組合せを有する、アクリレート、メタクリレート、ノルボルネン、ビニルまたはアリルモノマーのうちの１つまたは複数を含む、項目３に記載のポリマー組成物。
（項目８）
前記シリコーンモノマーが、１つまたは複数のポリシロキサンおよび／もしくはフルオロカーボン基を有する、アクリレート、メタクリレート、ノルボルネン、ビニルまたはアリルモノマーを含む、項目３に記載のポリマー組成物。
（項目９）
前記接着促進性モノマーまたは基が、アルキルもしくは他の基で置換されたメタクリレート、アクリレートまたはアクリルアミドモノマーを含む、項目３に記載のポリマー組成物。
（項目１０）
前記接着促進性モノマーが、メチルメタクリレートを含む、項目９に記載のポリマー組成物。
（項目１１）
前記ポリマー組成物が、非タンパク質汚損性および／または抗血栓形成性である、項目１または２に記載のポリマー組成物。
（項目１２）
前記非汚損性モノマーが、両性イオン性モノマーまたはポリアルキレングリコールモノマーを含む、項目１１に記載のポリマー。
（項目１３）
前記両性イオン性モノマーが、ホスホリルコリン、カルボキシベタイン、またはスルホベタインモノマーを含む、項目１２に記載のポリマー。
（項目１４）
前記ポリマー性またはオリゴマー性添加剤の分子量が、約１，０００から約５０，０００ダルトンである、項目１または２に記載のポリマー。
（項目１５）
項目１から１４のいずれか一項に記載の抗菌性ポリマー組成物を含有する物品。
（項目１６）
前記ポリマー組成物が、少なくとも９０％の抗菌活性の低減をもたらす、項目１または２に記載のポリマー組成物。
（項目１７）
前記ポリマー組成物が、溶融処理可能であるまたは溶液処理可能である、項目１または２に記載のポリマー組成物。
（項目１８）
前記殺生物活性モノマーが、ポリヘキサメチレンビグアニドまたはｐ−クロロフェニルグアニジノエトキシメタクリレートを含む、項目３に記載のポリマー組成物。
（項目１９）
前記ブルーム促進性シリコーンまたはフルオロカーボン系モノマーが、２−メチル−２−プロペン酸３，３，４，４，５，５，６，６，７，７，８，８，８−トリデカフルオロオクチルエステルを含む、項目３に記載のポリマー組成物。
（項目２０）
前記ポリイソシアネートが、ジイソシアネートを含む、項目４に記載のポリマー組成物。
（項目２１）
前記ジイソシアネートが、Ｈ１２ＭＤＩを含む、項目２０に記載のポリマー組成物。
（項目２２）
前記ブルーム促進性シリコーンまたはフルオロカーボン系モノマーが、３，３，４，４，５，５，６，６，７，７，８，８，８−トリデカフルオロ−１−オクタノールを含む、項目４に記載のポリマー組成物。
（項目２３）
前記殺生物活性モノマーが、１，６−ビス（ビグアニジノエタノール）ヘキサンまたはｐ−クロロフェニルグアニジノエタノールを含む、項目４に記載のポリマー組成物。
（項目２４）
前記活性水素化合物が、アルコール、ジオール、アミン、ジアミン、チオール、ジチオール、およびこれらの組合せを含む、項目４に記載のポリマー組成物。
（項目２５）
前記ベースポリマーが、ナイロン、熱可塑性ポリウレタン、ポリエチレン、ポリエステル、ポリ塩化ビニル、ポリスルホン、ポリシロキサン、ポリプロピレン、ポリカーボネート、ポリエーテルスルホン、ポリエーテルエーテルケトン、ポリラクチド（ＰＬＡ）ポリマー、ポリラクチド−ｃｏ−グリコリド（ＰＬＧ）ポリマー、ポリカプロラクトンポリマー、ポリジオキサノールポリマー、ポリ（１，３−トリメチレンカーボネート）ポリマー、ポリチロシンカーボネートポリマー、ポリアクリレート、ポリメタクリレート、ポリ乳酸、またはポリグリコール酸、およびこれらの組合せを含む、項目１または２に記載のポリマー組成物。
（項目２６）
前記ベースポリマーが、被膜形成ポリマーである、項目１または２に記載のポリマー組成物。
（項目２７）
前記ベースポリマーが、熱可塑性ポリウレタンを含む、項目２６に記載のポリマー組成物。
（項目２８）
前記ブルーム促進性シリコーンまたはフルオロカーボン系モノマーが、前記添加剤の全モノマー組成物の５ｗｔ％から６０ｗｔ％の量で存在する、項目３に記載のポリマー組成物。
（項目２９）
前記殺生物活性モノマーが、前記添加剤の全モノマー組成物の０．５ｗｔ％から約５０ｗｔ％の量で存在する、項目３に記載のポリマー組成物。
（項目３０）
前記接着促進性モノマーが、前記添加剤の全モノマー組成物の１０ｗｔ％から７０ｗｔ％の量で存在する、項目３に記載のポリマー組成物。
（項目３１）
前記オリゴマー性またはポリマー性添加剤が、全ポリマー組成物の０．１ｗｔ％から２０ｗｔ％の量で存在する、項目１または２に記載のポリマー組成物。
（項目３２）
項目３に記載の殺生物活性ポリマー組成物を作製する方法であって、
（ａ）適切なモノマーのフリーラジカル重合を行って前記オリゴマー性またはポリマー性添加剤を形成することと、
（ｂ）前記添加剤を前記ベースポリマーに組み込むことと
を含む、方法。
（項目３３）
項目４に記載の殺生物活性ポリマー組成物を作製する方法であって、
（ａ）前記ポリイソシアネートと活性水素モノマーを反応させて前記オリゴマー性またはポリマー性添加剤を形成することと、
（ｂ）前記添加剤を前記ベースポリマーに組み込むことと
を含む、方法。
（項目３４）
前記ポリマー性またはオリゴマー性添加剤を組み込むことが、前記添加剤を前記ベースポリマーに溶融混合すること、または前記ベースポリマーの合成中に前記添加剤を添加することを含む、項目３２または３３に記載の方法。
（項目３５）
前記添加剤およびベースポリマーを一般的な溶媒中に溶解させること、ならびに前記添加剤および前記ベースポリマーを含有する溶媒混合物のキャスティング、凝固またはエレクトロスピニングを行うことを含む、項目３２または３３に記載の方法。
（項目３６）
前記ポリマー組成物またはそれから形成される物品をアニールすることをさらに含む、項目３２または３３に記載の方法。
（項目３７）
前記アニールすることが、前記ベースポリマーのガラス転移温度程度から前記ベースポリマーの融点までの温度で行われる、項目３６に記載の方法。
（項目３８）
前記アニールすることが、約５０℃から約１５０℃の温度で２時間から約７日間の期間にわたり行われる、項目３７に記載の方法。
（項目３９）
項目１および２に記載の殺生物活性ポリマー組成物を含む物品。
（項目４０）
前記殺生物活性ポリマー組成物が、前記物品を形成する材料上にコーティングされる、項目３９に記載の物品。
（項目４１）
前記ポリマー組成物が、浸漬コーティング、ロールツーロールコーティング、スピンコーティング、または噴霧コーティングを利用してコーティングされる、項目４０に記載の物品。
（項目４２）
前記殺生物活性ポリマー組成物が、前記物品を形成する前記材料上に印刷される、項目４０に記載の物品。
（項目４３）
前記ポリマー組成物が、付加製造またはデジタル印刷のうちの１つまたは複数を利用して印刷される、項目４２に記載の物品。
（項目４４）
前記材料が、ポリマー、ガラス、金属、セラミックまたは複合材のうちの１つまたは複数を含む、項目４０に記載の物品。
（項目４５）
前記物品が、医療用デバイスである、項目３９に記載の物品。
（項目４６）
前記医療用デバイスが、血管造影用カテーテル、血管形成用カテーテル、泌尿器科用カテーテル、透析用カテーテル、Ｓｗａｎ−Ｇａｎｚカテーテル、中心静脈カテーテル、末梢挿入中心静脈カテーテル、カテーテルコネクター、透析膜、医療用チューブ、創傷ケア物品、整形用品、神経埋没物、フィルム、ドレープ、バイオセンサー、歯科用埋没物、心臓弁、心臓バイパス機、体外血液デバイス、神経導管、血管移植片、ステント、埋没物、またはコンタクトレンズのうちの１つまたは複数を含む、項目４５に記載の物品。
（項目４７）
前記創傷ケア物品が、創傷閉鎖材、ステープル、縫合糸、メッシュ、支持デバイス、縫合補強材、または創傷ケア被覆材のうちの１つまたは複数を含む、項目４６に記載の物品。
（項目４８）
前記整形用品が、くぎ、ねじ、プレート、ケージ、またはプロテーゼのうちの１つまたは複数を含む、項目４６に記載の物品。
（項目４９）
前記神経埋没物が、ドレインまたはシャントのうちの１つまたは複数を含む、項目４６に記載の物品。
（項目５０）
前記物品が、パーソナルケア用品、医薬用品、ヘルスケア製品、または船舶用品である、項目３９に記載の物品。
（項目５１）
前記埋没物が、眼用埋没物、蝸牛用埋没物、または乳房埋没物のうちの１つまたは複数を含む、項目４６に記載の物品。
（項目５２）
（ｉ）ブルーム促進性シリコーンまたはフルオロカーボン系のアクリレート、メタクリレート、アクリルアミドまたはビニルモノマー、（ｉｉ）殺生物活性アクリレート、メタクリレート、アクリルアミドまたはビニルモノマー、および（ｉｉｉ）任意で接着促進性モノマーまたは基
から誘導されるオリゴマー性またはポリマー性添加剤
を含む、抗菌性添加剤組成物。
（項目５３）
前記ブルーム促進性シリコーンまたはフルオロカーボン系モノマーが、２−メチル−２−プロペン酸３，３，４，４，５，５，６，６，７，７，８，８，８−トリデカフルオロオクチルエステルを含む、項目５２に記載の添加剤組成物。
（項目５４）
前記殺生物活性モノマーが、１つまたは複数のアルキルもしくはアリール四級化アンモニウム、スルホニウムもしくはホスホニウム基、グアニジン基、ビグアニジン基、またはこれらの任意の組合せを有する、アクリレート、メタクリレート、ノルボルネン、ビニルまたはアリルモノマーのうちの１つまたは複数を含む、項目５２に記載の添加剤組成物。
（項目５５）
前記殺生物活性モノマーが、ポリヘキサメチレン−ビグアニドまたはｐ−クロロフェニルグアニジノエトキシメタクリレートを含む、項目５２に記載の添加剤組成物。
（項目５６）
前記シリコーンモノマーが、１つまたは複数のポリシロキサンおよび／もしくはフルオロカーボン基を有する、アクリレート、メタクリレート、ノルボルネン、ビニルまたはアリルモノマーを含む、項目５２に記載の添加剤組成物。
（項目５７）
前記接着促進性モノマーまたは基が、アルキルもしくは他の基で置換されたメタクリレート、アクリレートまたはアクリルアミドモノマーを含む、項目５２に記載の添加剤組成物。
（項目５８）
（ｉ）活性水素基を含有するシリコーンまたはフルオロカーボン系モノマー、（ｉｉ）活性水素基を含有する殺生物活性モノマー、（ｉｉｉ）任意で、活性水素基を含有する接着促進性モノマーまたは基、および（ｉｖ）ポリイソシアネート
から誘導されるオリゴマー性またはポリマー性添加剤
を含む、抗菌性添加剤組成物。
（項目５９）
前記ポリイソシアネートが、ジイソシアネートを含む、項目５８に記載の添加剤組成物。
（項目６０）
前記ジイソシアネートが、Ｈ１２ＭＤＩを含む、項目５８に記載の添加剤組成物。
（項目６１）
前記ブルーム促進性シリコーンまたはフルオロカーボン系モノマーが、３，３，４，４，５，５，６，６，７，７，８，８，８−トリデカフルオロ−１−オクタノールを含む、項目５８に記載の添加剤組成物。
（項目６２）
前記殺生物活性モノマーが、１，６−ビス（ビグアニジノエタノール）ヘキサンまたはｐ−クロロフェニルグアニジノエタノールを含む、項目５８に記載の添加剤組成物。
（項目６３）
前記活性水素化合物が、アルコール、ジオール、アミン、ジアミン、チオール、ジチオール、およびこれらの組合せを含む、項目５８に記載の添加剤組成物。